【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
支持体と、下引き層と、感光層と、をこの順に有する電子写真感光体であって、  該下引き層が、架橋剤および下記式（１）で示される化合物を含む組成物の重合物を含有することを特徴とする電子写真感光体。
【化１】
2016085458.tif 000001
（式（１）中、
Ｒ１は、下記式（２）、および下記式（３）からなる群より選択される。
【化２】
2016085458.tif 000002
式（２）中、
Ｒ１０１は、Ｏ、Ｓ、ＳＯ２、ＮＲ１０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基およびハロゲン原子からなる群より選択される。
Ｒ１０２およびＲ１０３は、それぞれ独立に、炭素数１〜３のアルキル基、アルコキシ基、アルコキシカルボニル基、シアノ基、ニトロ基およびハロゲン原子からなる群より選択される。ｍ個のＲ１０２およびｎ個のＲ１０３は、それぞれ、同一であっても異なってもよい。
Ｒ１０４は、水素原子、アルキル基またはアリール基を示す。ｍ、ｎはそれぞれ独立に０〜４の整数を示す。
【化３】
2016085458.tif 000003
式（３）中、
Ｒ２０１は、Ｏ、Ｓ、ＳＯ２、ＮＲ２０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基、およびハロゲン原子からなる群より選択される。
Ｒ２０２およびＲ２０３は、それぞれ独立に、炭素数１〜２のアルキル基、アルコキシ基、アルコキシカルボニル基およびハロゲン原子からなる群より選択される。ｓ個のＲ２０２およびｐ個のＲ２０３は、それぞれ、同一であっても異なってもよい。
Ｒ２０４は、水素原子、アルキル基またはアリール基を示す。ｓ、ｐはそれぞれ０〜４の整数を示す。
Ｒ２およびＲ３は、それぞれ独立に、置換または無置換のアルキル基、置換または無置換のアルキル基の炭素原子の１つをＯに置き換えて導かれる基、置換または無置換のアルキル基の炭素原子の１つをＳに置き換えて導かれる基、置換または無置換のアルキル基の炭素原子の１つをＮＲ１３に置き換えて導かれる基、または、置換または無置換のアリール基を示す。Ｒ２およびＲ３は、ヒドロキシ基、チオール基、アミノ基及びカルボキシル基からなる群より選択される重合性官能基を有する。該置換アルキル基の置換基、該置換アリール基の置換基は、それぞれ独立に、炭素数１〜６のアルキル基、アシル基、アルコキシ基、アルコシキカルボニル基、フェニル基、シアノ基、ニトロ基およびハロゲン原子からなる群より選択される。Ｒ１３は、水素原子またはアルキル基を示す。
Ｒ４〜Ｒ１１は、それぞれ独立に、水素原子、ハロゲン原子、シアノ基、ニトロ基、置換または無置換のアルキル基、または、置換または無置換のアリール基を示す。該置換アルキル基の置換基、該置換アリール基の置換基は、それぞれ独立に、アルキル基、アシル基、アルコキシ基、アルコシキカルボニル基、シアノ基、ニトロ基およびハロゲン原子からなる群より選択される。）
【請求項２】
前記式（１）におけるＲ２およびＲ３が、それぞれ独立に下記式（５）で示される基である請求項１に記載の電子写真感光体。
【化４】
2016085458.tif 000004
（式（５）中、
Ｒ４０１は、水素原子を示す。
Ｒ４０２およびＲ４０３は、それぞれ独立に、置換または無置換のアルキル基、または、置換または無置換のアリール基を示し、これらの基は、ヒドロキシ基を有する。該置換アルキル基の置換基、該置換アリール基の置換基は、それぞれ独立に、炭素数１〜６のアルキル基、アルコキシ基、アルコシキカルボニル基、フェニル基及びハロゲン原子からなる群より選択される少なくとも１つである。）
【請求項３】
前記架橋剤が、
イソシアネート基あるいはブロックイソシアネート基を有するイソシアネート化合物、または、
Ｎ−メチロール基あるいはアルキルエーテル化されたＮ−メチロール基を有するアミン化合物
である請求項１または２に記載の電子写真感光体。
【請求項４】
前記組成物が、さらに重合性官能基を有する樹脂を含有する請求項１から３のいずれか１項に記載の電子写真感光体。
【請求項５】
前記組成物中における、前記式（１）で示される化合物の含有量に対する、前記架橋剤の含有量および前記重合性官能基を有する樹脂の含有量の合計の含有量が、質量比率で０．５倍以上２．５倍以下である請求項４に記載の電子写真感光体。
【請求項６】
下記式（１）で示されるイミド化合物。
【化５】
2016085458.tif 000005
（式（１）中、
Ｒ１は、下記式（２）、および下記式（３）からなる群から選択される。
【化６】
2016085458.tif 000006
式（２）中、
Ｒ１０１は、Ｏ、Ｓ、ＳＯ２、ＮＲ１０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基およびハロゲン原子からなる群より選択される。
Ｒ１０２およびＲ１０３は、それぞれ独立に、炭素数１〜３のアルキル基、アルコキシ基、アルコキシカルボニル基、シアノ基、ニトロ基およびハロゲン原子からなる群より選択される。ｍ個のＲ１０２およびｎ個のＲ１０３は、それぞれ、同一であっても異なってもよい。
Ｒ１０４は、水素原子、アルキル基またはアリール基を示す。ｍ、ｎはそれぞれ独立に０〜４の整数を示す。
【化７】
2016085458.tif 000007
式（３）中、
Ｒ２０１は、Ｏ、Ｓ、ＳＯ２、ＮＲ２０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基、およびハロゲン原子からなる群より選択される。
Ｒ２０２およびＲ２０３は、それぞれ独立に、炭素数１〜２のアルキル基、アルコキシ基、アルコキシカルボニル基およびハロゲン原子からなる群より選択される。ｓ個のＲ２０２およびｐ個のＲ２０３は、それぞれ、同一であっても異なってもよい。
Ｒ２０４は、水素原子、アルキル基またはアリール基を示す。ｓ、ｐはそれぞれ０〜４の整数を示す。
Ｒ２およびＲ３は、それぞれ独立に、置換または無置換のアルキル基、置換または無置換のアルキル基の炭素原子の１つをＯに置き換えて導かれる基、置換または無置換のアルキル基の炭素原子の１つをＳに置き換えて導かれる基、置換または無置換のアルキル基の炭素原子の１つをＮＲ１３に置き換えて導かれる基、または、置換または無置換のアリール基を示す。Ｒ２およびＲ３は、ヒドロキシ基、チオール基、アミノ基及びカルボキシル基からなる群より選択される重合性官能基を有する。該置換アルキル基の置換基、該置換アリール基の置換基は、それぞれ独立に、炭素数１〜６のアルキル基、アシル基、アルコキシ基、アルコシキカルボニル基、フェニル基、シアノ基、ニトロ基およびハロゲン原子からなる群より選択される。Ｒ１３は、水素原子またはアルキル基を示す。
Ｒ４〜Ｒ１１は、それぞれ独立に、水素原子、ハロゲン原子、シアノ基、ニトロ基、置換または無置換のアルキル基、または、置換または無置換のアリール基を示す。該置換アルキル基の置換基、該置換アリール基の置換基は、それぞれ独立に、アルキル基、アシル基、アルコキシ基、アルコシキカルボニル基、シアノ基、ニトロ基およびハロゲン原子からなる群より選択される。）
【請求項７】
前記式（１）におけるＲ２およびＲ３が、それぞれ独立に下記式（５）で示される基である請求項６に記載のイミド化合物。
【化８】
2016085458.tif 000008
（式（５）中、
Ｒ４０１は、水素原子を示す。
Ｒ４０２およびＲ４０３は、それぞれ独立に、置換または無置換のアルキル基、または、置換または無置換のアリール基を示し、これらの基は、ヒドロキシ基を有する。該置換アルキル基の置換基、該置換アリール基の置換基は、それぞれ独立に、炭素数１〜６のアルキル基、アルコキシ基、アルコシキカルボニル基、フェニル基及びハロゲン原子からなる群より選択される少なくとも１つである。）
【請求項８】
支持体と、下引き層と、感光層と、をこの順に有する電子写真感光体であって、 該下引き層が、架橋剤および下記式（１）で示される化合物を含む組成物の重合物を含有することを特徴とする電子写真感光体。
【化９】
2016085458.tif 000009
（式（１）中、
Ｒ１は、下記式（２）、下記式（３）、および下記式（４）からなる群より選択される。
【化１０】
2016085458.tif 000010
式（２）中、
Ｒ１０１は、Ｏ、Ｓ、ＳＯ２、ＮＲ１０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基およびハロゲン原子からなる群より選択される。
Ｒ１０２およびＲ１０３は、それぞれ独立に、炭素数１〜３のアルキル基、アルコキシ基、アルコキシカルボニル基、シアノ基、ニトロ基およびハロゲン原子からなる群より選択される。ｍ個のＲ１０２およびｎ個のＲ１０３は、それぞれ、同一であっても異なってもよい。
Ｒ１０４は、水素原子、アルキル基またはアリール基を示す。ｍ、ｎはそれぞれ独立に０〜４の整数を示す。
【化１１】
2016085458.tif 000011
式（３）中、
Ｒ２０１は、Ｏ、Ｓ、ＳＯ２、ＮＲ２０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基、およびハロゲン原子からなる群より選択される。
Ｒ２０２およびＲ２０３は、それぞれ独立に、炭素数１〜２のアルキル基、アルコキシ基、アルコキシカルボニル基およびハロゲン原子からなる群より選択される。ｓ個のＲ２０２およびｐ個のＲ２０３は、それぞれ、同一であっても異なってもよい。
Ｒ２０４は、水素原子、アルキル基またはアリール基を示す。ｓ、ｐはそれぞれ０〜４の整数を示す。
【化１２】
2016085458.tif 000012
式（４）中、
Ｒ３０１は、水素原子を示す。
Ｒ３０２は、置換または無置換のアルキレン基、または、置換または無置換のアリーレン基を示す。
Ｒ３０３は、置換または無置換のアルキル基を示す。該置換アルキレン基の置換基、該置換アリーレン基の置換基、該置換アルキル基の置換基は、Ｏ、Ｓ、炭素数１〜２のアルキル基、アルコシキカルボニル基およびフェニル基からなる群より選択される。
前記式（１）におけるＲ２およびＲ３が、それぞれ独立に下記式（５）で示される基である。
【化１３】
2016085458.tif 000013
式（５）中、
Ｒ４０１は、水素原子を示す。
Ｒ４０２およびＲ４０３は、それぞれ独立に、置換または無置換のアルキル基、または、置換または無置換のアリール基を示し、これらの基は、ヒドロキシ基を有する。該置換アルキル基の置換基、該置換アリール基の置換基は、それぞれ独立に、炭素数１〜６のアルキル基、アルコキシ基、アルコシキカルボニル基、フェニル基及びハロゲン原子からなる群より選択される少なくとも１つである。
Ｒ４〜Ｒ１１は、それぞれ独立に、水素原子、ハロゲン原子、シアノ基、ニトロ基、置換または無置換のアルキル基、または、置換または無置換のアリール基を示し、該置換アルキル基の置換基、該置換アリール基の置換基は、それぞれ独立に、アルキル基、アシル基、アルコキシ基、アルコシキカルボニル基、シアノ基、ニトロ基およびハロゲン原子からなる群より選択される。）
【請求項９】
下記式（１）で示されるイミド化合物。
【化１４】
2016085458.tif 000014
（式（１）中、
Ｒ１は、下記式（２）、下記式（３）、および下記式（４）からなる群より選択される。
【化１５】
2016085458.tif 000015
式（２）中、
Ｒ１０１は、Ｏ、Ｓ、ＳＯ２、ＮＲ１０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基およびハロゲン原子からなる群より選択される。
Ｒ１０２およびＲ１０３は、それぞれ独立に、炭素数１〜３のアルキル基、アルコキシ基、アルコキシカルボニル基、シアノ基、ニトロ基およびハロゲン原子からなる群より選択される。ｍ個のＲ１０２およびｎ個のＲ１０３は、それぞれ、同一であっても異なってもよい。
Ｒ１０４は、水素原子、アルキル基またはアリール基を示す。ｍ、ｎはそれぞれ独立に０〜４の整数を示す。
【化１６】
2016085458.tif 000016
式（３）中、
Ｒ２０１は、Ｏ、Ｓ、ＳＯ２、ＮＲ２０４、カルボニル基、置換または無置換のアルキレン基、または、置換または無置換のアリーレン基を示す。該置換アルキレン基の置換基、該置換アリーレン基の置換基は、それぞれ独立に、炭素数１〜５のアルキル基、フェニル基、およびハロゲン原子からなる群より選択される。
Ｒ２０２およびＲ２０３は、それぞれ独立に、炭素数１〜２のアルキル基、アルコキシ基、アルコキシカルボニル基およびハロゲン原子からなる群より選択される。ｓ個のＲ２０２およびｐ個のＲ２０３は、それぞれ、同一であっても異なってもよい。
Ｒ２０４は、水素原子、アルキル基またはアリール基を示す。ｓ、ｐはそれぞれ０〜４の整数を示す。
【化１７】
2016085458.tif 000017
式（４）中、
Ｒ３０１は、水素原子を示す。
Ｒ３０２は、置換または無置換のアルキレン基、または、置換または無置換のアリーレン基を示す。
Ｒ３０３は、置換または無置換のアルキル基を示す。該置換アルキレン基の置換基、該置換アリーレン基の置換基、該置換アルキル基の置換基は、Ｏ、Ｓ、炭素数１〜２のアルキル基、アルコシキカルボニル基およびフェニル基からなる群より選択される。
前記式（１）におけるＲ２およびＲ３が、それぞれ独立に下記式（５）で示される基である。
【化１８】
2016085458.tif 000018
式（５）中、
Ｒ４０１は、水素原子を示す。
Ｒ４０２およびＲ４０３は、それぞれ独立に、置換または無置換のアルキル基、または、置換または無置換のアリール基を示し、これらの基は、ヒドロキシ基を有する。該置換アルキル基の置換基、該置換アリール基の置換基は、それぞれ独立に、炭素数１〜６のアルキル基、アルコキシ基、アルコシキカルボニル基、フェニル基及びハロゲン原子からなる群より選択される少なくとも１つである。
Ｒ４〜Ｒ１１は、それぞれ独立に、水素原子、ハロゲン原子、シアノ基、ニトロ基、置換または無置換のアルキル基、または、置換または無置換のアリール基を示し、該置換アルキル基の置換基、該置換アリール基の置換基は、それぞれ独立に、アルキル基、アシル基、アルコキシ基、アルコシキカルボニル基、シアノ基、ニトロ基およびハロゲン原子からなる群より選択される。）